(57)【特許請求の範囲】
【請求項１】
操作者の身体に装着可能な装着部と、この装着部と一体であってプリンターを取り付ける支持部と、を有するとともに、光データ通信可能なハンディターミナルを携帯するためのハンディターミナルの携帯用キャリアーであって、前記支持部は、前記ハンディターミナルを収容可能なハンディターミナル用ポケット部と、前記プリンターを収容可能なプリンター用ポケット部と、を有し、前記ハンディターミナル用ポケット部の内部において前記ハンディターミナルのターミナル側光データ通信端子と対向可能なターミナル用光データ通信端子を設けるとともに、前記プリンター用ポケット部の内部において前記プリンターのプリンター側光データ通信端子と対向可能なプリンター用光データ通信端子を、設け、このターミナル用光データ通信端子は、前記プリンターと前記ハンディターミナルとの間におけるデータ通信を可能とするように前記プリンターにこれを接続してあることを特徴とするハンディターミナルの携帯用キャリアー。
【請求項２】
前記ハンディターミナル用ポケット部は、外光を遮断可能な材料により、これを構成することを特徴とする請求項１記載のハンディターミナルの携帯用キャリアー。
【請求項３】
前記ターミナル用光データ通信端子は、前記ハンディターミナル用ポケット部の底部にこれを設けてあることを特徴とする請求項１記載のハンディターミナルの携帯用キャリアー。
【請求項４】
前記ハンディターミナル用ポケット部は、前記支持部に対して傾斜可能にこれを設けてあることを特徴とする請求項１記載のハンディターミナルの携帯用キャリアー。
【請求項５】
前記プリンターは、前記支持部に設けたケーブルにより前記ターミナル用光データ通信端子とこれを接続してあることを特徴とする請求項１記載のハンディターミナルの携帯用キャリアー。
【請求項６】
前記ハンディターミナル用ポケット部は、前記ハンディターミナルを操作可能とするターミナル操作用開口部を有することを特徴とする請求項１記載のハンディターミナルの携帯用キャリアー。
【請求項７】
前記プリンター用ポケット部は、外光を遮断可能な材料により、これを構成することを特徴とする請求項１記載のハンディターミナルの携帯用キャリアー。
【請求項８】
前記プリンター用光データ通信端子は、前記プリンター用ポケット部の底部にこれを設けてあることを特徴とする請求項1記載のハンディターミナルの携帯用キャリアー。
【請求項９】
前記プリンター用ポケット部は、前記プリンターを操作可能とするプリンター操作用開口部を有することを特徴とする請求項１記載のハンディターミナルの携帯用キャリアー。
【発明の詳細な説明】
【０００１】
【発明の属する技術分野】
本発明はハンディターミナルの携帯用キャリアーにかかるもので、とくに光データ通信可能なハンディターミナルを小型のプリンターと一緒に携帯するために便利なハンディターミナルの携帯用キャリアーに関するものである。
【０００２】
【従来の技術】
従来の小売り店およびそのバックヤード、あるいは倉庫や工場その他各種の業界において、小型プリンターおよびハンディターミナルを用いて各種のデータを入出力することが行われている。
このデータ入出力を行う操作者が、小型プリンターおよびハンディターミナルを携帯可能とすることにより、その両手を自由にして各種の作業を行いやすくするためのベルトタイプあるいはショルダータイプのキャリアーが用いられている。
さらに、最近のハンディターミナルは、赤外線その他の電波を用いた無線による、ごく近距離の光データ通信を可能としたものがある。
【０００３】
しかしながら、従来この種のキャリアーは、小型プリンターおよびハンディターミナルをそれぞれ独立に収容ないし取り付けてあるだけの構成であるため、キャリアーにおけるプリンターとハンディターミナルとの間の光データ通信を行うためには、たとえば、ハンディターミナルを一度キャリアーから取り出してプリンターの上面その他の側面に近接ないし押し付けることによって、それぞれの光データ通信端子を対向させるような操作が必要であり、プリンターとハンディターミナルとの間の当該光データ通信を行うために少なくとも片手、場合によっては両手がふさがってしまうという操作上の問題がある。
【０００４】
さらに、ハンディターミナルとプリンターとを単に近接ないし押し付けるだけの操作であるため、外光による光データ通信の不具合を回避することが困難で、光データ通信の確実性が損なわれるという問題がある。
【０００５】
【発明が解決しようとする課題】
本発明は以上のような諸問題にかんがみなされたもので、プリンターおよびハンディターミナルの携帯性および操作性を向上可能なハンディターミナルの携帯用キャリアーを提供することを課題とする。
【０００６】
また本発明は、当該キャリアーにプリンターおよびハンディターミナルを収容ないし取り付けたままで、互いの間の光データ通信を可能としたハンディターミナルの携帯用キャリアーを提供することを課題とする。
【０００７】
また本発明は、操作者がプリンターおよびハンディターミナル自体を持たずにプリンターおよびハンディターミナル間の光データ通信を可能としたハンディターミナルの携帯用キャリアーを提供することを課題とする。
【０００８】
また本発明は、プリンターとハンディターミナルとの間において、外光による光データ通信の不具合を解消可能なハンディターミナルの携帯用キャリアーを提供することを課題とする。
【０００９】
すなわち本発明は、キャリアー（支持部）側に形成したハンディターミナル用ポケット部の内部においてターミナル用光データ通信端子を設けるとともに、このターミナル用光データ通信端子を介してハンディターミナルとプリンターとを光データ通信可能に接続可能とすることに着目したもので、操作者の身体に装着可能な装着部と、この装着部と一体であってプリンターを取り付ける支持部と、を有するとともに、光データ通信可能なハンディターミナルを携帯するためのハンディターミナルの携帯用キャリアーであって、上記支持部は、上記ハンディターミナルを収容可能なハンディターミナル用ポケット部と、上記プリンターを収容可能なプリンター用ポケット部と、を有し、上記ハンディターミナル用ポケット部の内部において上記ハンディターミナルのターミナル側光データ通信端子と対向可能なターミナル用光データ通信端子を設けるとともに、上記プリンター用ポケット部の内部において上記プリンターのプリンター側光データ通信端子と対向可能なプリンター用光データ通信端子を、設け、このターミナル用光データ通信端子は、上記プリンターと上記ハンディターミナルとの間におけるデータ通信を可能とするように上記プリンターにこれを接続してあることを特徴とするハンディターミナルの携帯用キャリアーである。
【００１０】
上記ハンディターミナル用ポケット部は、外光を遮断可能な材料により、これを構成することによって、ハンディターミナルのターミナル側光データ通信端子と、ハンディターミナル用ポケット部内のターミナル用光データ通信端子と、の間の光データ通信用の受発光をより確実なものとすることができる。
【００１１】
上記ターミナル用光データ通信端子は、上記ハンディターミナル用ポケット部の底部にこれを設けることにより、ハンディターミナル用ポケット部の最深部において光データ通信用の受発光を行わせることができる。
【００１２】
上記ハンディターミナル用ポケット部は、上記支持部に対して傾斜可能にこれを設けることにより、ハンディターミナルの出入れを容易に行うようにすることができる。
【００１３】
上記プリンターは、上記支持部に設けたケーブルにより上記ターミナル用光データ通信端子とこれを接続することにより、電気的な接続を確実なものとすることができるとともに、ケーブルの長さに余裕を持たせて、ハンディターミナル用ポケット部を支持部に対して傾斜可能とすることができる。
【００１４】
上記ハンディターミナル用ポケット部は、上記ハンディターミナルを操作可能とするターミナル操作用開口部を有することにより、必要であれば、ハンディターミナル用ポケット部にハンディターミナルを収容したままで、ハンディターミナルについての必要な操作を行うことができる。
【００１６】
上記プリンター用ポケット部は、外光を遮断可能な材料により、これを構成することによって、プリンターのプリンター側光データ通信端子と、プリンター用ポケット部内のプリンター用光データ通信端子と、の間の光データ通信用の受発光をより確実なものとすることができる。
【００１７】
上記プリンター用光データ通信端子は、上記プリンター用ポケット部の底部にこれを設けることにより、プリンター用ポケット部の最深部において光データ通信用の受発光を行わせることができる。
【００１８】
上記プリンター用ポケット部は、上記プリンターを操作可能とするプリンター操作用開口部を有することにより、必要であれば、プリンター用ポケット部にプリンターを収容したままで、プリンターについての必要な操作を行うことができる。
【００１９】
本発明によるハンディターミナルの携帯用キャリアーにおいては、キャリアー（支持部）に形成したハンディターミナル用ポケット部の内部においてターミナル用光データ通信端子を設けるとともに、このターミナル用光データ通信端子を介してハンディターミナルとプリンターとを光データ通信可能に接続可能としてあるので、ハンディターミナルおよびプリンターをキャリアーに収容するだけで、光データ通信可能な状態となっており、通信のために操作者がハンディターミナルあるいはプリンターを持つ必要がなく、携帯性とともにその操作性は良好である。
さらに、ターミナル用光データ通信端子がハンディターミナル用ポケット部の内部に形成されているので、このターミナル用光データ通信端子とハンディターミナルのターミナル側光データ通信端子とが常に一定の相対位置および間隔で対向することになり、光データ通信用の受発光が安定して行われて信頼性を向上させることができる。
また、ハンディターミナル用ポケット部を外光遮断性の材料により構成すれば、ハンディターミナルとプリンターとの間の光データ通信用の赤外線などが外部光による通信不具合を受けることを回避し、さらに信頼性があるキャリアーとすることができる。
【００２０】
【発明の実施の形態】
つぎに本発明の第１の実施の形態によるハンディターミナルの携帯用キャリアー１をベルトタイプのものに応用した場合を例に取って、図１ないし図５にもとづき説明する。
図１は、携帯用キャリアー１の平面図、図２は、同、一部断面正面図、図３は、同、左側面図、図４は、同、右側面図であって、携帯用キャリアー１は、左右一対の装着部２と、装着部２の間の支持部３と、を有する。
【００２１】
左右一対の装着部２は、それぞれの中央部にベルト挿通窓４を有し、ベルト５を挿通して操作者の身体に装着可能としてある。
【００２２】
左右一対の装着部２は、プリンター支持部６およびハンディターミナル用ポケット部７を有する。
プリンター支持部６には、小型のプリンター８をネジなどの固定具９により着脱可能に取り付けてある。
プリンター８は、任意の方式の印字機構を有する小型化が可能なものであって、たとえばサーマルヘッドによるサーマル印字を行うサーマルプリンターなどを採用する。
【００２３】
ハンディターミナル用ポケット部７は、上部開口部７Ａを有する有底状のポケット構成であって、ハンディターミナル１０を上部から差し込んで収容可能である。
ハンディターミナル１０は、任意の形式のものであって、たとえばそのディスプレイ部１０Ａとキーボード部１０Ｂとの間に段部１０Ｃを形成していれば、段部１０Ｃがハンディターミナル用ポケット部７の上部開口部７Ａの縁部に係止して、ハンディターミナル用ポケット部７におけるハンディターミナル１０の収容位置ないし相対位置を一定のものとすることができる。
【００２４】
ハンディターミナル用ポケット部７の内部におけるその底部の中央部には、赤外線などの受発光素子（ＩｒＤＡ受発光素子）などによるターミナル用光データ通信端子１１を設けてあり、ハンディターミナル１０をハンディターミナル用ポケット部７に収容したときにハンディターミナル１０のターミナル側光データ通信端子１２と対向させ、光データ通信を可能としてある。
ハンディターミナル用ポケット部７は、好ましくは、外光を遮断可能な合成樹脂その他の材料、あるいは表面が暗色ないしは黒色の材料によりこれを構成する。
なおターミナル用光データ通信端子１１は、これと対向するターミナル側光データ通信端子１２の形成位置に応じて、ハンディターミナル用ポケット部７の内部において任意の部位にこれを形成することができる。
さらにターミナル用光データ通信端子１１は、ハンディターミナル用ポケット部７内および支持部３内に這わせたＦＰＣ（Ｆｌｅｘｉｂｌｅ  Ｐｌａｓｔｉｃ  Ｃａｂｌｅ）などによる電気回線１３によってプリンター８に電気的に接続している。
【００２５】
とくに図４に示すように、ハンディターミナル用ポケット部７は、第１の固定フレーム１４および第２の固定フレーム１５により、支持部３にこれを支持してある。
図５は、第１の固定フレーム１４および第２の固定フレーム１５部分の背面図であって、ハンディターミナル用ポケット部７を第１の固定フレーム１４の支持部３における回動軸１６のまわりに回動傾斜可能としてあり、第２の固定フレーム１５の固定窓１７にネジ（図示せず）を取り付けることによりその傾斜位置を固定することができる。
なお、電気回線１３の長さに余裕を持たせておくことにより、この傾斜位置においても、電気回線１３を介してのターミナル用光データ通信端子１１とプリンター８との間（すなわち、プリンター８とハンディターミナル１０との間）の電気的接続状態を維持しておくことができる。
【００２６】
こうした構成の携帯用キャリアー１において、操作者は、左右一対の装着部２のベルト挿通窓４にベルト５を通すことにより、携帯用キャリアー１をその腰部に装着し、携帯可能である。
この装着により、プリンター８が支持部３に確実に一体的に支持されるとともに、ハンディターミナル１０はハンディターミナル用ポケット部７に取り出し可能に収容可能である。
【００２７】
図２に示したような状態で、ハンディターミナル用ポケット部７にハンディターミナル１０を収容すると、ハンディターミナル１０のターミナル側光データ通信端子１２がハンディターミナル用ポケット部７の底部のターミナル用光データ通信端子１１に所定間隔で適正に対向し、光データ通信が可能な状態にセットされる。
【００２８】
図２に示す収容状態において、ハンディターミナル用ポケット部７の内部においてターミナル側光データ通信端子１２およびターミナル用光データ通信端子１１が互いに対向しているので、外光からの影響を受けることなく、確実な光データ通信が可能である。
また、必要に応じてハンディターミナル１０をハンディターミナル用ポケット部７から取り出し、必要なデータ入力作業を行い、ハンディターミナル用ポケット部７に戻せば、そのままの状態でプリンター８との間で光データ通信を行い、プリンター８からの印刷が可能である。
【００２９】
さらに、ハンディターミナル用ポケット部７は支持部３に対して傾斜可能になっているので、操作者の好みに応じて任意の傾斜角度にこれを固定し、ハンディターミナル用ポケット部７へのハンディターミナル１０の収容およびハンディターミナル用ポケット部７からの取出しを容易とすることができる。
【００３０】
なお、図１および図２に仮想線で示すように、ハンディターミナル用ポケット部７には、ハンディターミナル１０を操作可能としているターミナル操作用開口部１８を開口形成することもできる。ただし、ハンディターミナル用ポケット部７がターミナル用光データ通信端子１１を外部からの光を遮断可能に被覆している。
したがって、ハンディターミナル１０をハンディターミナル用ポケット部７に収容したままで、その操作およびプリンター８との間の光データ通信を可能とする。
【００３１】
図６は、本発明の第２の実施の形態によるハンディターミナルの携帯用キャリアー２０の平面図、図７は、同、一部断面正面図であって、携帯用キャリアー２０においては、上述の携帯用キャリアー１に加えて、ハンディターミナル１０のみならず、プリンター８を収容するプリンター用ポケット部２１を前記プリンター支持部６に形成してある。
【００３２】
とくに図２に示すように、プリンター用ポケット部２１の内部における底部にプリンター用光データ通信端子２２を設けて、プリンター８のプリンター側光データ通信端子２３と対向可能とした。
プリンター用光データ通信端子２２にＦＰＣによる前記電気回線１３を接続し、プリンター８とハンディターミナル１０との間の電気的接続を行っている。
【００３３】
プリンター用ポケット部２１は、好ましくは、ハンディターミナル用ポケット部７と同様に、外光を遮断可能な材料によりこれを構成する。
さらに、プリンター用ポケット部２１には、プリンター８を収容したままでプリンター８を操作可能ないしは印刷物の繰出しを可能とするプリンター操作用開口部２４を形成することもできる。
【００３４】
こうした構成の携帯用キャリアー２０において、携帯用キャリアー１と同様に、プリンター８およびハンディターミナル１０を一緒に携帯することができるとともに、プリンター８とハンディターミナル１０との間の光データ通信を確実に行うことができる。
【００３５】
なお以上の説明において、ベルトタイプに応用した例を示したが、装着部の形態について、ショルダータイプその他任意の形態のキャリアーに応用可能である。
【００３６】
【発明の効果】
以上のように本発明によれば、ハンディターミナルを収容可能なハンディターミナル用ポケット部を設けて、プリンターとともにハンディターミナルを携帯可能とするとともに、ハンディターミナル用ポケット部にターミナル用光データ通信端子を設けたので、携帯用キャリアーとしての携帯性および操作性を改善するとともに、光データ通信の信頼性を向上させることができる。
【図面の簡単な説明】
【図１】本発明の第１の実施の形態による、ハンディターミナルの携帯用キャリアー１の平面図である。
【図２】同、一部断面正面図である。
【図３】同、左側面図である。
【図４】同、右側面図である。
【図５】同、第１の固定フレーム１４および第２の固定フレーム１５部分の背面図でである。
【図６】本発明の第２の実施の形態による、ハンディターミナルの携帯用キャリアー２０の平面図である。
【図７】同、一部断面正面図である。
【符号の説明】
１  ハンディターミナル１０の携帯用キャリアー（第１の実施の形態、図１）
２  左右一対の装着部
３  支持部
４  ベルト挿通窓
５  ベルト
６  プリンター支持部
７  ハンディターミナル用ポケット部
７Ａ  ハンディターミナル用ポケット部７の上部開口部
８  小型のプリンター
９  ネジなどの固定具
１０  ハンディターミナル
１０Ａ  ハンディターミナル１０のディスプレイ部
１０Ｂ  ハンディターミナル１０のキーボード部
１０Ｃ  ハンディターミナル１０の段部
１１  ハンディターミナル用ポケット部７のターミナル用光データ通信端子（ＩｒＤＡ受発光素子）１２  ハンディターミナル１０のターミナル側光データ通信端子（ＩｒＤＡ受発光素子）１３  ＦＰＣによる電気回線
１４  第１の固定フレーム
１５  第２の固定フレーム
１６  ハンディターミナル用ポケット部７の回動軸
１７  第２の固定フレーム１５の固定窓
１８  ハンディターミナル用ポケット部７のターミナル操作用開口部
２０  ハンディターミナル１０の携帯用キャリアー（第２の実施の形態、図５）
２１  プリンター用ポケット部
２２  プリンター用ポケット部２１のプリンター用光データ通信端子（ＩｒＤＡ受発光素子）
２３  プリンター８のプリンター側光データ通信端子（ＩｒＤＡ受発光素子）
２４  プリンター用ポケット部２１のプリンター操作用開口部
【図１】
0004824161.tif 000002
【図２】
0004824161.tif 000003
【図３】
0004824161.tif 000004
【図４】
0004824161.tif 000005
【図５】
0004824161.tif 000006
【図６】
0004824161.tif 000007
【図７】
0004824161.tif 000008